(57)【要約】【課題】魚網に含浸させるキシレン溶液などから発生するミストガスを、無臭化処理するのに好適な排ガスの無臭化処理装置を提供する。【解決手段】装置筐体１０ａ内の底面側に設けられた水溜め槽１１と、装置筐体内の上方側に設けられた膨脹室１５と、膨脹室１５内に設けられた加熱装置１３と、加熱装置１３の近傍に設けられた多孔板１４と、多孔板１４の上方側に設けられた換気装置１２と、を備えた排ガスの無臭化処理装置であって、装置筐体１０ａ内に導入された排ガスを水溜め槽１１内で解放するとともに、予め前記加熱装置１３で多孔板１４を加熱しておき、この加熱された多孔板１４に排ガスを接触させるようにしたことを特徴としている。【選択図】図１
2008051381.tif 000002
【特許請求の範囲】
【請求項１】
排ガスの貯留源に連通された装置筐体内の底面側に設けられた水溜め槽と、
前記装置筐体内の上方側に設けられた膨脹室と、
前記膨脹室内に設けられた加熱装置と、
前記加熱装置の近傍に設けられた多孔板と、
前記多孔板の上方側に設けられた換気装置と、を備えた排ガスの無臭化処理装置であって、
前記装置筐体内に導入された排ガスを前記水溜め槽内で解放するとともに、
予め前記加熱装置で前記多孔板を加熱しておき、この加熱された多孔板に前記水溜め槽から上方に供給されてくる前記排ガスを接触させることにより、前記排ガスを熱分解することを特徴とする排ガスの無臭化処理装置。
【発明の詳細な説明】
【技術分野】
【０００１】
本発明は排ガスの無臭化処理装置に関し、詳しくは、魚網の網染めなどに使用される防汚剤キシレン溶液の排ガスを無臭化処理するのに好適な無臭化処理装置に関する。
【背景技術】
【０００２】
一般に、ポリエチレン、ナイロン（Ｒ）などの素材から編網された魚網は、動物性または植物性の生物の付着を防止する目的（防汚目的）で、防汚剤キシレン溶液などを含浸させた後、乾燥させて使用される。漁網は使用中に防汚効果が次第に薄れていくので、動物性または植物性の生物付着防止のために間隔をあけて定期的に防汚剤を含浸させることが必要である。
【０００３】
ところで、防汚剤キシレン溶液を貯留した槽内からは、通常２００〜３００ｐｐｍ程度のキシレンのミストガスが常時発生している。したがって、このような溶液を扱う工場内では、異臭のため、作業衛生環境が悪くなっている。
【０００４】
そこで、このような溶液を扱う作業場では、活性炭などを利用した吸着装置によりキシレンガスを吸着処理することも行われている。
ところが、防汚剤キシレン溶液を含浸させる魚網は、小型のものでも２００Ｋｇ〜３５０Ｋｇ、大型のものでは、６００Ｋｇ〜２７００Ｋｇもあるため、含浸させるキシレン溶液もかなりの量となる。したがって、これまでのように、活性炭による吸着だけでは、大量に無臭化処理することが困難であった。
【発明の開示】
【発明が解決しようとする課題】
【０００５】
本発明は、このような実状に鑑み、魚網に含浸させるキシレン溶液などから発生するミストガスを、無臭化処理するのに好適な排ガスの無臭化処理装置を提供することを目的としている。
【課題を解決するための手段】
【０００６】
上記目的を達成するための本発明に係る排ガスの無臭化処理装置は、
排ガスの貯留源に連通された装置筐体内の底面側に設けられた水溜め槽と、
前記装置筐体内の上方側に設けられた膨脹室と、
前記膨脹室内に設けられた加熱装置と、
前記加熱装置の近傍に設けられた多孔板と、
前記多孔板の上方側に設けられた換気装置と、を備えた排ガスの無臭化処理装置であって、
前記装置筐体内に導入された排ガスを前記水溜め槽内で解放するとともに、
予め前記加熱装置で前記多孔板を加熱しておき、この加熱された多孔板に前記水溜め槽から上方に供給されてくる前記排ガスを接触させることにより、前記排ガスを熱分解させることを特徴としている。
【０００７】
係る構成による本発明によれば、排ガスが水溜め槽を通過してから膨脹室内に供給されるので、加熱装置で装置筐体内が加熱されたとしても、水溜め槽が貯留源との間を遮断しているので、貯留源側に引火する虞れがない。また、加熱装置により多孔板が加熱されているので、この多孔板を通過するときに、排ガスが燃焼される。よって、排ガスが加熱処理されるので、無臭化が図れる。
【発明の効果】
【０００８】
本発明に係る排ガスの異臭化処理装置によれば、排ガスを簡単な構造で加熱処理することができる。したがって、魚網の網染めなどに使用されるキシレン溶液のミストガスなどを無臭化処理することができる。
【０００９】
また、装置筐体内で、一旦水の中を潜らせているので、安全性も確保されている。
【発明を実施するための最良の形態】
【００１０】
以下、図面を参照しながら本発明の一実施例について説明する。
図１は、魚網の網染めに使用されるキシレン溶液のミストガスを回収するために設置された無臭化処理装置を示したもので、この無臭化処理装置１０は、網染めを行う建物１の敷地などに設置される。
【００１１】
先ず、魚網の網染めに使用される防汚剤キシレン溶液は、網染めを行う建物１内の染めタンク２内に貯留されている。そして、このタンク２からは、常時２００〜３００ｐｐｍ程度のミストガス３が発散されている。したがって、タンク２内は、キシレンのミストガスが充満している。
【００１２】
このようなミストガス３は、屋外に配置された防爆型のエアポンプ４が駆動されることにより、例えば、耐油性のビニールなどからなるホース５を介してタンク２から吸引され、４インチ程度の鋼製パイプ６内に一時的に貯留される。
【００１３】
一方、鋼製パイプ６内に吸引されたミストガスは、ここで液化され、配管７ａ、７ｂを介して下流の無臭化処理装置１０内に導かれている。なお、図１において、符号８は、無臭化処理装置１０とエアポンプ４との間に配置された防火壁を示したものである。
【００１４】
以下に、無臭化処理装置１０の構造について説明する。
無臭化処理装置１０の装置筐体１０ａは、ステンレスなどの耐食性、耐薬品性および耐火性に富んだ材料からなるもので、天井部に換気装置１２が具備されている。そして、装置筐体１０ａ内の底面側には、水溜め槽１１が形成され、この水溜め槽１１内には、所定量の水が貯留されている。一方、装置筐体１０ａの上方側は、膨脹室１５となっている。また、この膨脹室１５内には、ガスコンロなどの加熱装置１３がブラケット１４に支持されている。このブラケット１４などもステンレスから形成されている。そして、この加熱装置１３には、ガスホース１７を介して、外部からプロパンガスなどの可燃性ガスが導入され、ここで燃焼される。
【００１５】
さらに、加熱装置１３の燃焼域上方には、多数の孔が形成されたパンチングプレートなどの多孔板１４が配置されている。この多孔板１４は、図示したように、半球状に形成されていても良く、あるいは平板状に形成されていても良い。
【００１６】
一方、水溜め槽１１の上部には、水位を一定に保つように、ゲージ１８が設けられており、水位がこのゲージ１８を越えないように設定されている。
本実施例による無臭化処理装置１０は、上記のように構成されているが、以下に、その作用について説明する。
【００１７】
今、建物１内に設置された染めタンク２内には、所定量のキシレン溶液が貯留され、タンク２内はキシレンのミストガス３が充満している。
そして、屋外に配置されたエアポンプ４が駆動されることにより、先ず染めタンク２のミストガス３が、鋼製パイプ６内に送られ、ここで液化されるとともに、さらに、配管７ｂを介して無臭化装置１０内に導入される。すると、キシレンのミストガスは、水の中に
放出され、その水を通って膨張室１５内に拡散される。
【００１８】
一方、膨脹室１５内では、加熱装置１３によりプロパンガスなどの可燃性ガスが燃焼されることにより、膨脹室１５は、高温状態にされている。また、多孔板１４は、７００〜８００°以上の充分高い温度に熱せられている。
【００１９】
さらに、多孔板１４の上方では、換気装置１２が駆動されている。
このように構成された無臭化処理装置１０では、水溜め槽１１から膨脹室１５内に放出されたキシレンガスは、膨脹室１５内で上方に案内されるが、途中で加熱装置１３で可燃性ガスが燃焼されているため、この可燃性ガスの燃焼に接触して一部熱分解されたり、あるいは、この加熱装置１３で直接燃焼されなくても、高温に加熱された多孔板１４の孔を通るときに加熱され、ここで熱分解される。
【００２０】
このように、本実施例では、配置装置１２の駆動によりキシレンガスが膨脹室１５内を上昇していくときに、加熱装置１３により直接燃焼されか、または多孔板１４に接触して、熱分解され、ＣＯ2とＨ2Ｏとが生成される。この反応により、キシレンガスの異臭が無くなりクリーンガスとして、換気装置１２から外部に排出することができる。
【００２１】
また、本実施例の無臭化処理装置１０では、排ガスが水の中を通ってから膨張室１５内に開放されるので、排ガスの貯留源側に火が引火することはない。したがって、誘爆が防止される。
【００２２】
以上、本発明の一実施例について説明したが、本発明は上記実施例に何ら限定されない。
例えば、加熱装置１３は、一つに限定されず、膨脹室１３内に多数設けても良い。
【００２３】
また、上記実施例では、魚網の網染めに使用されるキシレン溶液の排ガスの無臭化について説明したが、本発明は、キシレン溶液に何ら限定されない。
【図面の簡単な説明】
【００２４】
【図１】図１は本発明の一実施例による排ガスの無臭化処理装置を屋外に設置した場合の概略図である。
【符号の説明】
【００２５】
１０      無臭化処理装置
１０ａ    装置筐体
１１      水溜め槽
１２      換気装置
１３      加熱装置
１４      多孔板
１５      膨脹室
【図１】
2008051381.tif 000003